(57)【要約】【課題】けらば部材が風等の外力により撓み難い、けらば部材の接続構造を提供する。【解決手段】けらば部材２の接続構造は、野地板３１と、のぼり木３２と、屋根材３と、破風板４と、軒棟方向に複数に分割されたけらば部材２と、を備える。けらば部材２の接続構造は、複数に分割されたけらば部材２を接続するけらば部材接続具１が設けられる。けらば部材接続具１は、縦接続部１１と、縦接続部１１の上端部に設けられる上接続部１２と、を有する。上接続部１２は、建物の内側に向けて設けられる横接続片１２ａと、横接続片１２ａから下方に向けて設けられる縦接続片１２ｂと、を有する。縦接続片１２ｂは、固定具６によりのぼり木に固定され、けらば部材接続具１がのぼり木３２に固定されることを特徴とする。【選択図】図１
2015068093.tif 000002
【特許請求の範囲】
【請求項１】
野地板と、前記野地板の上面の妻側端部に固定されるのぼり木と、
前記野地板の上面に載置される屋根材と、前記野地板の下面の妻側端部に設けられる破風板と、前記野地板の妻側端部と前記屋根材の妻側端部とのぼり木と破風板とを覆う軒棟方向に複数に分割されたけらば部材と、を備え、
複数に分割された前記けらば部材を接続するけらば部材接続具が設けられ、
前記けらば部材接続具は、前記破風板の妻側端と前記野地板の妻側端とのぼり木の妻側端に沿って設けられる縦接続部と、前記縦接続部の上端部に設けられる上接続部と、を有し、
前記上接続部は、前記縦接続部の上端部から前記建物の内側に向けて設けられる横接続片と、前記横接続片から下方に向けて設けられる縦接続片と、を有し、
前記縦接続片は、前記のぼり木の前記建物の内側の端部と固定具により固定され、前記けらば部材接続具が前記のぼり木に固定されることを特徴とするけらば部材の接続構造。
【請求項２】
前記縦接続片が、前記横接続片から下方に前記屋根材の妻側端部まで延設され、前記屋根材の妻側端部を押圧するものであることを特徴とする請求項１記載のけらば部材の接続構造。
【発明の詳細な説明】
【技術分野】
【０００１】
本発明は、けらば部材の接続構造に関するものである。
【背景技術】
【０００２】
従来、野地板と、野地板の上面に固定される屋根材と、野地板と屋根材の妻側端部とを覆うけらば部材と、が備えられたものが知られている（例えば特許文献１参照）。
【先行技術文献】
【特許文献】
【０００３】
【特許文献１】特開２００７−１５４４５８号公報
【発明の概要】
【発明が解決しようとする課題】
【０００４】
従来のけらば部材７２は、図４に示すように、野地板７１の妻側端面に沿って設けられるけらば縦包み部７３と、けらば縦包み部７３の上端に設けられるけらば上包み部７４と、を有する。そして、けらば上包み部７４は、けらば縦包み部７３の上端から建物の内側に向けて設けられる横片７４ａと、横片７４ａのけらば縦包み部７３とは反対側の端部から下方に突出する縦片７４ｂと、を有する。けらば部材７２は、けらば縦包み部７３とけらば上包み部７４により、屋根材７７と野地板７１の妻側端部を覆っていた。
【０００５】
また、けらば部材７２は、軒棟方向に複数に分割されており、けらば部材接続具７５により複数に分割されたけらば部材７２が互いに接続されていた。けらば部材接続具７５は、けらば縦包み部７３に沿って設けられる縦接続部７５ａと、けらば上包み部７４の横片７４ａに沿って縦接続部７５ａの上端から建物の内側に突出する横接続部７５ｂと、を有する。
【０００６】
横片７４ａの建物の内側の端部と横接続部７５ｂの建物の内側の端部とが、固定具７６により固定されていた。
【０００７】
このとき、建物の内側から妻側に向けて風が吹くと、横片７４ａと横接続部７５ｂが、建物の妻側斜め上方に移動し、けらば縦包み部７３と縦接続部７５ａとが撓んでしまっていた。このとき、けらば部材７２が折れ曲る虞があった。
【０００８】
本発明は上記従来の問題点に鑑みて発明したものであって、その目的とするところは、けらば部材が風等の外力により撓み難い、けらば部材の接続構造を提供することを課題とするものである。
【課題を解決するための手段】
【０００９】
上記課題を解決するために、本発明は、以下のような構成とする。
【００１０】
野地板と、前記野地板の上面の妻側端部に固定されるのぼり木と、前記野地板の上面に載置される屋根材と、前記野地板の下面の妻側端部に設けられる破風板と、前記野地板の妻側端部と前記屋根材の妻側端部とのぼり木と破風板とを覆う軒棟方向に複数に分割されたけらば部材と、を備え、複数に分割された前記けらば部材を接続するけらば部材接続具が設けられ、前記けらば部材接続具は、前記破風板の妻側端と前記野地板の妻側端とのぼり木の妻側端に沿って設けられる縦接続部と、前記縦接続部の上端部に設けられる上接続部と、を有し、前記上接続部は、前記縦接続部の上端部から前記建物の内側に向けて設けられる横接続片と、前記横接続片から下方に向けて設けられる縦接続片と、を有し、前記縦接続片は、前記のぼり木の前記建物の内側の端部と固定具により固定され、前記けらば部材接続具が前記のぼり木に固定されることを特徴とする。
【００１１】
また、前記縦接続片が、前記横接続片から下方に前記屋根材の妻側端部まで延設され、前記屋根材の妻側端部を押圧するものであることが好ましい。
【発明の効果】
【００１２】
本発明のけらば部材の接続構造は、けらば部材と、複数に分割されたけらば部材を接続するけらば部材接続具と、を備える。けらば部材接続具は、破風板と野地板の妻側端とのぼり木の妻側端に沿って設けられる縦接続部と、縦接続部の上端に設けられる上接続部と、を有する。上接続部は、縦接続部の上端部から建物の内側に向けて設けられる横接続片と、横接続片から下方に向けて設けられる縦接続片と、を有する。縦接続片が、のぼり木に固定具により固定されるので、けらば部材接続具とけらば部材が風等の外力により撓み難くなる。このとき、けらば部材が折れ曲がることを防止できる。
【図面の簡単な説明】
【００１３】
【図１】本実施形態の屋根の妻側端部の断面図である。
【図２】（ａ）はけらば部材接続具の正面図であり、（ｂ）はけらば部材接続具の側面図である。
【図３】本実施形態の軒棟方向に複数に分割されたけらば部材とけらば部材接続具と、を示した分解斜視図である。
【図４】従来例の屋根の妻側端部の断面図である。
【発明を実施するための形態】
【００１４】
けらば部材２の接続構造は、野地板３１と、野地板３１の上面の妻側端部に固定されるのぼり木３２と、を備える。けらば部材２の接続構造は、野地板３１の上面に載置される屋根材３を備える。けらば部材２の接続構造は、野地板３１の下面の妻側端部に設けられる破風板４と、野地板３１の妻側端部と屋根材３の妻側端部とのぼり木３２と破風板４とを覆う軒棟方向に複数に分割されたけらば部材２と、を備える。けらば部材２の接続構造には、複数に分割されたけらば部材２を接続するけらば部材接続具１が設けられる。けらば部材接続具１は、破風板４の妻側端と野地板３１の妻側端とのぼり木３２の妻側端に沿って設けられる縦接続部１１と、縦接続部１１の上端部に設けられる上接続部１２と、を有する。上接続部１２は、縦接続部１１の上端部から建物の内側に向けて設けられる横接続片１２ａと、横接続片１２ａから下方に向けて設けられる縦接続片１２ｂと、を有する。縦接続片１２ｂは、のぼり木３２の建物の内側の端部と固定具６により固定され、けらば部材接続具１がのぼり木３２に固定されることを特徴とする。
【００１５】
また、縦接続片１２ｂが、横接続片１２ａから下方に屋根材３の妻側端部まで延設され、屋根材３の妻側端部を押圧するものであることが好ましい。
【００１６】
以下、本発明を添付図面に示す実施形態に基いて説明する。
【００１７】
けらば部材２の接続構造は、本実施形態では、図１に示すように、野地板３１と、野地板３１の上面の妻側端部に固定されるのぼり木３２と、を備える。けらば部材２の接続構造は、本実施形態では、図１に示すように、のぼり木３２に固定されのぼり木３２と、のぼり木３２と隣接する野地板３１の上面と、を覆うけらば水切り３３を備える。けらば部材２の接続構造は、本実施形態では、図１に示すように、野地板３１の上面とけらば水切り３３の野地板３１に載置される部分の上面に載置される屋根材３を備える。
【００１８】
野地板３１は、屋根材３の下地材であり、棟木から軒先にかけて屋根勾配に沿って設けられる垂木３６の上に固定される。なお、野地板３１には、防水シート３１ａ（アスファルトルーフィング）等を敷設しておくのが好ましい。
【００１９】
のぼり木３２は、屋根勾配方向に沿って棟側から軒先側にかけて設けられる角材である。
【００２０】
けらば水切り３３は、本実施形態では、図１に示すように、野地板３１の妻側端と、のぼり木３２と、のぼり木３２と隣接する野地板３１の上面と、を覆う。けらば水切り３３は、本実施形態では、図１に示すように、のぼり木３２の上端とは隙間を空け、のぼり木３２の上端に沿って設けられる。けらば水切り３３は、本実施形態では、図１に示すように、のぼり木３２の建物の内側の端部とは隙間を空け、のぼり木３２の建物の内側の端部に沿って設けられる。けらば水切り３３は、本実施形態では、図１に示すように、のぼり木３２と隣接する野地板３１の上面と当接する。けらば水切り３３は、野地板３１と屋根材３との間に設けられ、屋根材３の妻側端部から野地板３１に水が浸入しないように設けられる。けらば水切り３３は、固定具６によりのぼり木３２に固定されるが、固定具６が打ち込まれる場所は限定されない。また、固定具６は釘や螺子等が考えられるが、特に限定されるものではない。
【００２１】
屋根は、複数の屋根材３によって構成される。屋根は、例えば、切妻屋根や片流れ屋根といったものである。屋根材３は、例えば、断面凹凸形状をしたルーフ材や、折板屋根材といったものである。本実施形態の屋根材３は、屋根勾配方向とは直角な方向に、凹部３４と凸部３５とが繰り返し形成された金属屋根となっている。凹部３４及び凸部３５は、屋根材３の屋根勾配方向の全長に亘って設けられる。
【００２２】
けらば部材２の接続構造は、本実施形態では、図１に示すように、野地板３１の下面の妻側端部に設けられる破風板４を備える。
【００２３】
破風板４は、屋根勾配方向に沿って棟側から軒先側にかけて設けられる板であり、建物内部への雨の吹込みを防ぐ。破風板４は、図１に示すように、野地板３１の妻側端よりも、建物の内側に設けられる。破風板４の下端部には、軒天井下地材５１が取付けられる。
【００２４】
軒天井下地材５１は、屋根勾配方向に沿って棟側から軒先側にかけて設けられる角材である。軒天井下地材５１は、本実施形態では、図１に示すように、破風板４の下端よりも上側に設けられる。破風板４の下端部には、軒天井下地材５１が複数架設される。軒天井下地材５１の下端には、軒天井５が取付けられる。
【００２５】
軒天井５は、屋根材３の建物の外壁（図示せず）よりも更に妻側に突出した端部の下方に屋根勾配方向に沿って傾斜して設けられる。なお、軒天井５の取付構造はこれに限定されない。
【００２６】
けらば部材２の接続構造は、本実施形態では、図１に示すように、野地板３１の妻側端部と屋根材３の妻側端部とのぼり木３２と破風板４とを覆う軒棟方向に複数に分割されたけらば部材２を備える。けらば部材２の接続構造には、本実施形態では、図３に示すように、複数に分割されたけらば部材２を接続するけらば部材接続具１が設けられる。
【００２７】
けらば部材２は、破風板４の下端部に引掛けられる引掛け部２３を有する。けらば部材２は、引掛け部２３から破風板４と野地板３１とのぼり木３２の妻側端に沿って上方に設けられるけらば縦包み部２１を有する。けらば部材２は、けらば縦包み部２１から建物の内側に突出するけらば上包み部２２を有する。
【００２８】
引掛け部２３は、本実施形態では、図１に示すように、断面視Ｌ字状をしているが、形状は限定されない。引掛け部２３が、破風板４の下端部に引掛けられることにより、けらば部材２が、破風板４に取付けられる位置決めが行われる。また、引掛け部２３の破風板４に引掛けられる部分を、固定具６で固定することにより、けらば部材２が破風板４に仮固定される。
【００２９】
けらば縦包み部２１は、本実施形態では、図１に示すように、破風板４の妻側端と野地板３１の妻側端とのぼり木３２の妻側端を覆う。けらば縦包み部２１は、本実施形態では、図１に示すように、けらば部材２を破風板４に固定するための固定具６が取付けられる凹部２１ａを有する。凹部２１ａは、本実施形態では、図１に示すように、けらば縦包み部２１の破風板４の下端から上端までの部分に、二ヵ所設けられるが、凹部２１ａの数は、二ヵ所に限定されない。けらば縦包み部２１には、凹部２１ａが設けられる部分以外に、本実施形態では、図１に示すように、破風板４との間に隙間が設けられるが、隙間は設けられなくともよい。
【００３０】
けらば上包み部２２は、けらば水切り３３の妻側端部と屋根材３の妻側端部とのぼり木３２を上方から覆う。けらば上包み部２２は、本実施形態では、図１に示すように、側面視略Ｌ字状をしているが、その形状は限定されない。
【００３１】
けらば上包み部２２は、本実施形態では、図１に示すように、けらば縦包み部２１の上端から建物の内側に向かって設けられる横片２２ａを有する。横片２２ａは、本実施形態では、図１に示すように、けらば縦包み部２１側の端部から建物の内側の端部に行く程下方に位置するように傾斜する。
【００３２】
けらば上包み部２２は、本実施形態では、図１に示すように、横片２２ａのけらば縦包み部２１側とは反対側の端部から下方に向かって設けられる縦片２２ｂを有する。
【００３３】
けらば上包み部２２は、本実施形態では、図１に示すように、縦片２２ｂの下端部を折返した折返し片２２ｃを有する。折返し片２２ｃは、本実施形態では、図１に示すように、縦片２２ｂの下端部を建物の妻側斜め上方に向けて折返したものである。
【００３４】
けらば部材２は、本実施形態では、図３に示すように、軒側に設けられる軒側けらば部材２４と、棟側に設けられる棟側けらば部材２６と、軒側けらば部材２４と棟側けらば部材２６との間に設けられる中間けらば部材２５と、に三分割される。なお、けらば部材２が分割される数は、限定されるものではない。中間けらば部材２５と軒側けらば部材２４とは、本実施形態では、図３に示すように、けらば部材接続具１により接続される。なお、けらば部材接続具１には、パッキン（図示せず）が取付けられるのが好ましい。中間けらば部材２５と棟側けらば部材２６とは、本実施形態では、重ね施工により接続されるので、けらば部材接続具１が取付けられない。なお、中間けらば部材２５と棟側けらば部材２６とは、けらば部材接続具１により接続されてもよい。
【００３５】
けらば部材接続具１は、本実施形態では、図１、２に示すように、破風板４の妻側端と野地板３１の妻側端とのぼり木３２の妻側端に沿って設けられる縦接続部１１を有する。けらば部材接続具１は、本実施形態では、図１、２に示すように、縦接続部１１の上端に設けられる上接続部１２を有する。けらば部材接続具１は、本実施形態では、図１、２に示すように、縦接続部１１の下端から建物の内側に向けて突出する下接続部１３を有する。なお、下接続部１３は設けられなくともよい。
【００３６】
縦接続部１１は、本実施形態では、図１に示すように、けらば縦包み部２１と同様の形状で設けられる。縦接続部１１は、本実施形態では、図１、２に示すように、けらば部材２とけらば部材接続具１を破風板４に固定するための固定具６が取付けられる凹部１１ａを有する。凹部１１ａの破風板４側の端部には、本実施形態では、図２（ａ）に示すように、固定具６が挿通される左右方向に長い固定長孔１１ｂが設けられる。凹部１１ａの破風板４側の端部は、本実施形態では、図１に示すように、破風板４に接する。凹部１１ａは、本実施形態では、図１に示すように、縦接続部１１の破風板４の下端から上端までの部分に、二ヵ所設けられるが、凹部１１ａの数は、二ヵ所に限定されない。縦接続部１１の凹部１１ａが設けられる部分以外は、本実施形態では、図１に示すように、破風板４との間に隙間を有する。縦接続部１１の凹部１１ａとけらば縦包み部２１の凹部２１ａとは、本実施形態では、図１に示すように、重なる位置に設けられる。
【００３７】
上接続部１２は、本実施形態では、図１、図２（ｂ）に示すように、縦接続部１１の上端から建物の内側に向けて設けられる横接続片１２ａを有する。横接続片１２ａは、本実施形態では、図１に示すように、けらば部材２の横片２２ａに沿って設けられる。横接続片１２ａは、本実施形態では、図１、図２（ｂ）に示すように、縦接続部１１側の端部から建物の内側の端部に行く程下方に傾斜する。横片２２ａの建物の内側端部と横接続片１２ａの建物の内側端部とは、本実施形態では、図１に示すように、固定具６により固定されるが、固定される位置は限定されない。
【００３８】
上接続部１２は、本実施形態では、図１、図２（ｂ）に示すように、横接続片１２ａの建物の内側の端部から下方に向けて設けられる縦接続片１２ｂを有する。縦接続片１２ｂは、本実施形態では、のぼり木３２の建物の内側の端部と固定具６により固定される。縦接続片１２ｂは、本実施形態では、図１、図２（ｂ）に示すように、建物の内側から妻側に向かう方向に凹没する固定凹部１２ｃを有する。固定凹部１２ｃの妻側の端部は、本実施形態では、図１に示すように、けらば水切り３３と当接する。なお、縦接続片１２ｂに固定凹部１２ｃが設けられず、縦接続片１２ｂがけらば水切り３３と当接してもよい。固定凹部１２ｃの妻側の端部には、本実施形態では、図１に示すように、けらば部材接続具１とけらば水切り３３がのぼり木３２に固定されるための固定具６が取付けられる。なお、けらば水切り３３が設けられず、縦接続片１２ｂがのぼり木３２の建物の内側の端部と当接し固定具６によりのぼり木３２に固定され、けらば部材接続具１がのぼり木３２に固定されてもよい。
【００３９】
縦接続片１２ｂは、本実施形態では、図１に示すように、横接続片１２ａの建物の内側の端部から下方に屋根材３の妻側端部まで延設される。縦接続片１２ｂの下端は、屋根材３の妻側端部を下方に押圧する。これにより、屋根材３の妻側端部が上方に浮いてしまうことを防止することができる。
【００４０】
上接続部１２は、本実施形態では、図１、図２（ｂ）に示すように、縦接続片１２ｂの下端部を建物の妻側上方に折返した折返し接続片１２ｄを有する。
【００４１】
以上のような構成のけらば部材２の接続構造では、けらば部材接続具１の縦接続片１２ｂがのぼり木３２に固定される。これにより、風等の外力が上接続部１２とけらば上包み部２２を建物の妻側斜め上方に移動させようとしても、けらば部材接続具１の固定強度が向上していることにより、けらば部材２が建物の妻側斜め上方に移動し難くなる。従って、けらば部材２が建物の内側から妻側へ向かう方向に折れ曲がることを防止できる。
【符号の説明】
【００４２】
１    けらば部材接続具
１１  縦接続部
１２  上接続部
１２ａ  横接続片
１２ｂ  縦接続片
２    けらば部材
２１  けらば縦包み部
２２  けらば上包み部
２２ａ  横片
２２ｂ  縦片
３    屋根材
３１  野地板
３２  のぼり木
３３  けらば水切り
４    破風板
５    軒天井
６    固定具
【図１】
2015068093.tif 000003
【図２】
2015068093.tif 000004
【図３】
2015068093.tif 000005
【図４】
2015068093.tif 000006